(57)【特許請求の範囲】
【請求項１】
竪樋を抱持する抱持部にスライド片が延設された抱持部材と、建物の壁などに固定される取付部に取付片が延設された取付部材と、これらスライド片と取付片を連結する連結軸と、上記抱持部材を所望の位置で上記取付部材に固定可能なロック手段とを備えた竪樋支持具において、
上記ロック手段は、ロックレバーよりなり、
上記ロックレバーは、基端側には軸孔を設けた取付板部を有し、前方側には上記スライド片又は取付片の長孔に形成された凹凸部に係合される係止爪片を有するとともに、上及び下には操作部を備えており、
上記ロックレバーの上の操作部を上方から操作し変形させて、上記係止爪片を上記スライド長孔の凹凸部に係合又は離脱できるようにするとともに、上記ロックレバーの下の操作部を下方から操作し変形させて、上記係止爪片を上記スライド長孔の凹凸部に係合又は離脱できるようにして、上記抱持部材を所望の位置で固定させる構造とした竪樋支持具。
【請求項２】
請求項１において、
上記ロックレバーは、変形自在な部材で形成され、且つ上記長孔に係合される係止爪片が離脱状態に形成されている竪樋支持具。
【請求項３】
請求項１において、
上記ロックレバーは、バネ性のある部材で形成され、且つ上記長孔に係合される係止爪片が係止状態に形成されている竪樋支持具。
【請求項４】
請求項１〜３の何れかにおいて、
上記係止爪片の片側或いは両側は、鋸刃状に形成されている竪樋支持具。
【請求項５】
請求項１〜４の何れかにおいて、
上記ロックレバーの取付板部又は上記スライド片或いは取付片のスライド面のいずれかには、リブ足部が突出形成されている竪樋支持具。
【発明の詳細な説明】
【０００１】
【発明の属する技術分野】
本発明は、建物の壁などに固定される取付部材の取付片と、竪樋を抱持する抱持部材のスライド片と、これらスライド片と取付片を連結軸で連結し、上記抱持部材を所望の位置で固定可能なロック手段を備えた竪樋支持具に関する。
【０００２】
【従来の技術】
図６は、従来の竪樋支持具を示す分解斜視図である。
【０００３】
この竪樋支持具１００は、竪樋Ｔを抱持する抱持部１１１にスライド片１２１が延設された抱持部材１０１と、建物の壁などに固着される取付部１１２に取付片１２２が延設された取付部材１０２と、これらスライド片１２１と取付片１２２を、所望の位置で固定可能なロック手段１０３とより成る。
【０００４】
このロック手段１０３は、ボルト軸１３１と蝶ナット１３２で構成されており、ボルト軸１３１が、スライド片１２１に形成された軸孔１４１と、取付片１２２に形成された長孔１４２を通じて蝶ナット１３２に螺合されており、この螺合された蝶ナット１３２を弛めれば、抱持部材１０１を所望の位置にスライドでき、その位置で蝶ナット１３２を締付ければ、抱持部材１０１のスライド片１２１を取付片１２２に圧接させて固定できる。
【０００５】
【発明が解決しようとする課題】
しかし、従来の竪樋支持具１００のロック手段１０３は、蝶ナット１３２を締付け或いは弛めるという螺合構造によるものであった。
【０００６】
そのため、抱持部材１０１を所望の位置にスライドするには、蝶ナット１３２を弛め、これを締付けるという手間を要し、抱持部材１０１の出具合を調節することが面倒であるという問題があった。
【０００７】
これを解決するため、本発明者等は、従来の竪樋支持具１００の構造の見直しを図ることから鋭意研究し、抱持部材１０１のスライド片１２１を取付片１２２に圧接させて固定する機能の必要性に着目した。
【０００８】
すなわち、抱持部材１０１の出具合を調節することは、これに取り付けられる竪樋Ｔを鉛直に設置することからも重要な機能である。
【０００９】
しかしながら、抱持部材１０１のスライド片１２１を取付片１２２に対して圧接して固定させなくても、抱持部材１０１のスライドを規制することはできる。
【００１０】
本発明は、かかる課題を解決することを目的とするもので、抱持部材のスライドをワンタッチで固定でき、しかも簡易な構造の竪樋支持具を提供する。
【００１１】
【課題を解決するための手段】
上記目的を達成するため、
請求項１に係る竪樋支持具は、竪樋を抱持する抱持部にスライド片が延設された抱持部材と、建物の壁などに固定される取付部に取付片が延設された取付部材と、これらスライド片と取付片を連結する連結軸と、上記抱持部材を所望の位置で上記取付部材に固定可能なロック手段とを備えた竪樋支持具において、上記ロックレバーの上の操作部を上方から操作し変形させて、上記係止爪片を上記スライド長孔の凹凸部に係合又は離脱できるようにするとともに、上記ロックレバーの下の操作部を下方から操作し変形させて、上記係止爪片を上記スライド長孔の凹凸部に係合又は離脱できるようにして、上記抱持部材を所望の位置で固定させる構造としている。
【００１２】
請求項１では、操作部を操作して、ロックレバーを上方及び下方の方向から変形させて、その係止爪片を長孔の凹凸部に係合又は離脱させ、抱持部材を所望の位置で固定させる構造にしている。
【００１３】
そのため、ロックレバーは、抱持部材のスライド片を取付片に圧接させて固定することなく、抱持部材のスライドだけを阻止して確実に固定でき、竪樋支持具を極めて簡易な構造にすることができる。また、ロックレバーに、上方及び下方の方向からでも操作可能な操作部を形成しているので、取付場所に応じてロックレバーを容易に操作させることができる。
【００１４】
請求項２に係る竪樋支持具は、請求項１において、上記ロックレバーは、変形自在な部材で形成され、且つ上記長孔に係合される係止爪片が離脱状態に形成されている。
【００１５】
請求項２では、ロックレバーが変形自在な部材で形成されており、且つ、その係止爪片が長孔の凹凸部と離脱状態に形成されている。
【００１６】
そのため、抱持部材を所望の位置にスライドした後、ロックレバーを変形させて、その係止爪片を長孔の凹凸部に係合させ、抱持部材を所望の位置で固定させることができ、請求項１同様の効果を得ることができる。
【００１７】
請求項３に係る竪樋支持具は、請求項１において、上記ロックレバーは、バネ性のある部材で形成され、且つ上記長孔に係合される係止爪片が係止状態に形成されている。
【００１８】
請求項３では、ロックレバーがバネ性のある部材で形成されており、且つ、その係止爪片が長孔の凹凸部と係止状態に形成されている。
【００１９】
そのため、ロックレバーを変形させて、抱持部材を所望の位置にスライドした後、その係止爪片を長孔の凹凸部に係合させ、抱持部材を所望の位置で固定させることができ、請求項１同様の効果を得ることができる。
【００２０】
請求項４に係る竪樋支持具は、請求項１〜３の何れかにおいて、上記係止爪片の片側或いは両側は、鋸刃状に形成されている。
【００２１】
請求項４では、係止爪片の片側或いは両側は、鋸刃状に形成されているので、この係止爪片がスライド長孔の凹凸部に係合した後は、係止爪片が抜け外れることなく抱持部材を確実に固定できる。
【００２２】
請求項５に係る竪樋支持具は、請求項１〜４の何れかにおいて、上記ロックレバーの取付板部又は上記スライド片或いは取付片のスライド面のいずれかには、リブ足部が突出形成されている。
【００２３】
請求項５では、ロックレバーの取付板部又は上記スライド片或いは取付片のいずれかには、リブ足部が突出形成されているので、スライド時における抱持部材のスライドをスムーズに行うことができる。
【００２４】
（欠番）
【００２５】
（欠番）
【発明の実施の形態】
以下、本発明に係る竪樋支持具Ａを図面に基づき説明する。
【００２６】
図１は、本発明の前提構成を示す竪樋支持具の分解斜視図、図２は、その組立斜視図である。
【００２７】
この竪樋支持具Ａは、竪樋Ｔを抱持する抱持部１１にスライド片１２が延設された抱持部材１と、建物の壁などに固着される取付部２１に取付片２２が延設された取付部材２と、これらスライド片１２と取付片２２を上下に貫通する連結軸３で連結してスライド自在とし、その抱持部材１を所望の位置で取付部材２に固定可能なロックレバー４とより成る。
【００２８】
なお、連結軸３の下端には、スプリングワッシャー３１、ワッシャー３２等の弾性部材を組み込んでおくことが望ましい。
【００２９】
抱持部材１の抱持部１１は、リング状或いは略半円状に形成されて竪樋Ｔを抱持している。但し、抱持部１１は、竪樋Ｔの形状に応じて、これを抱持するものであれば足り、その形状は、適宜選択される。
【００３０】
また、スライド片１２は、抱持部１１に一端が固着された帯板状に形成しており、このスライド片１２には、長手方向に向けて、側壁に波状或いは鋸刃状の凹凸部１３を備えた長孔１４を形成している。
【００３１】
また、スライド片１２の両側に、上方に向けて突出させたガイド片５（図５参照。）を形成し、このガイド片５の間に、取付部材２の取付片２２を嵌合させて連結すれば、両者の回転を防止でき、抱持部材１が横回転することなく、スムーズにスライドを行うことができる。
【００３２】
取付部材２は、建物の壁などに固定される取付部２１の前方に向けて取付片２２を延設し、この取付片２２の前端側には、長孔１４に重合され、且つ、連結軸３を貫通する軸孔２３を開設している。
【００３３】
また、取付部材２の取付片２２の両側に上記ガイド片５を形成しても構わないし、その取付片２２の軸孔２３と、スライド片１２の長孔１４を逆に形成することもできる。
【００３４】
すなわち、これら抱持部材１や取付部材２の形状は、取付場所や竪樋Ｔの形状に応じて適宜選択され、これに限定されるものではなく、要は、取付片２２とスライド片１２とが連結軸３で連結されており、その一方には、凹凸部１３を備えた長孔１４が形成され、他方には軸孔２３が形成されていれば足りる。
【００３５】
ロックレバー４は、変形自在な部材、すなわち、変形させることはできるが、これが変形された後は、変形後の状態を維持し、元の形状に戻らない性質の部材、或いは、バネ性のある部材、すなわち、変形させることができ、これが変形された後は、変形後の状態に戻る性質の部材の何れかを用いて形成することができる。
【００３６】
図１〜図３では、ロックレバー４が変形自在な部材で形成されたものを例示し、これを説明する。
【００３７】
このロックレバー４は、帯板材を略Ｌ状に形成し、その基端側には、取付片２２の軸孔２３に重合される軸孔４１を設けた取付板部４２を形成すると共に、前方側には、上方に立起された操作部４３を形成している。
【００３８】
操作部４３の下端には、長孔１４の凹凸部１３に係合される係止爪片４４が下方に向けて切り起こして形成されている。
【００３９】
この係止爪片４４は、下方に向けて狭いテーパー状に形成されており、長孔１４の凹凸部１３にスムーズに係合できる。
【００４０】
また、係止爪片４４の片側或いは両側は、鋸刃状に形成することもでき（不図示）、このような鋸刃状に形成すれば、この係止爪片４４が長孔１４の凹凸部１３に係合した後は、係止爪片４４が抜け外れることなく抱持部材１を確実に固定できる。
【００４１】
また、ロックレバー４の取付板部４２は、下位でスライドされる抱持部材１のスライド片１２に近接されるが、本実施例の取付板部４２には、下方に向けて膨出したリブ足部４５を形成している。
【００４２】
このようなリブ足部４５を形成することで、アンロック状態のときには、取付板部４２と抱持部材１のスライド片１２とをリブ足部４５で部分的に密接させた状態にして、抱持部材１のスライドをよりスムーズに行うことができる。
【００４３】
図３（ａ）（ｂ）は、図１、図２に示したロックレバーをロック、アンロック状態に操作したときの要部概略図である。
【００４４】
なお、図１、図２と共通する部材には、共通の符号を付し、その説明は省略している。
【００４５】
このように構成された竪樋支持具Ａの動作を図１〜図３に基づき説明する。
【００４６】
先ず、建物の壁などに取付部材２の取付部２１を釘、ネジ等で固定する。
【００４７】
そして、抱持部材１を取付部材２に対して前、後にスライドさせ、抱持部材１の抱持部１１を所望の位置に決める〔図３（ａ）参照〕。
【００４８】
この位置で、ロックレバー４の操作部４３を下方に向けて押圧すれば、ロックレバー４が変形すると共に、その係止爪片４４は、抱持部材１の長孔１４の側壁に形成された凹凸部１３に強制的に押し込まれて係止される。
【００４９】
このとき、ロックレバー４は、元の形状に戻らない性質の部材であるため、凹凸部１３に係止した状態を維持することができ、抱持部材１のスライドをロックして固定できる〔図３（ｂ）参照〕。
【００５０】
一方、ロックを解除するには、ロックレバー４を先程とは逆方向、つまり、操作部４３を上方に引き上げれば、その係止爪片４４は、抱持部材１の凹凸部１３から離脱されてアンロックとなり、抱持部材１を長孔１４に従って所望の位置にスライドすることができる〔図３（ａ）参照〕。
【００５１】
なお、ロックレバー４がバネ性のある部材で形成された場合では、図３（ｂ）で示された状態から、その操作部４３をバネ性に抗しながら上方に引き上げれば、ロックレバー４が図３（ａ）で示された状態に変形すると共に、抱持部材１を所望の位置にスライドすることができ、その後、ロックレバー４を離せば、そのバネ性によって、その係止爪片４４は、抱持部材１の長孔１４の側壁に形成された凹凸部１３に戻りながら係止され、図３（ｂ）で示された状態となって、抱持部材１のスライドをロックして固定できる。
【００５２】
また、本実施例で示したロックレバー４は、これを取付部材２の上方から操作する場合について説明したが、例えば、図４に示すように、ロックレバー４の操作部４３を上、下に形成すれば、これを取付部材２の下方から操作して係止爪片４４を長孔１４の凹凸部１３に係合可能にでき、取付場所に応じてロックレバー４を取付部材２の上、下何れの方向からでも操作することができる。
【発明の効果】
本発明によれば、次のような効果がある。
【００５３】
請求項１に係る竪樋支持具によれば、抱持部材を所望の位置にスライドした後、ロックレバーの上及び下に設けた操作部を操作してロックレバーを変形させて、その係止爪片を長孔の凹凸部に係合又は離脱させ、抱持部材を所望の位置で固定させる構造にしている。
【００５４】
そのため、ロックレバーは、抱持部材のスライド片を取付片に圧接させて固定することなく、抱持部材のスライドだけを阻止して確実に固定でき、竪樋支持具を極めて簡易な構造にすることができる。また、ロックレバーに、上方及び下方の方向からでも操作可能な操作部を形成しているので、取付場所に応じてロックレバーを容易に操作させることができる。
【００５５】
請求項２に係る竪樋支持具によれば、ロックレバーが変形自在な部材で形成されており、且つ、その係止爪片が長孔の凹凸部と離脱状態に形成されている。
【００５６】
そのため、抱持部材を所望の位置にスライドした後、ロックレバーを変形させて、その係止爪片を長孔の凹凸部に係合させ、抱持部材を所望の位置で固定させることができ、請求項１同様の効果を得ることができる。
【００５７】
請求項３に係る竪樋支持具によれば、ロックレバーがバネ性のある部材で形成されており、且つ、その係止爪片が長孔の凹凸部と係止状態に形成されている。
【００５８】
そのため、ロックレバーを変形させて、抱持部材を所望の位置にスライドした後、その係止爪片を長孔の凹凸部に係合させ、抱持部材を所望の位置で固定させることができ、請求項１同様の効果を得ることができる。
【００５９】
請求項４に係る竪樋支持具によれば、係止爪片の片側或いは両側は、鋸刃状に形成されているので、この係止爪片がスライド長孔の凹凸部に係合した後は、係止爪片が抜け外れることなく抱持部材を確実に固定できる。
【００６０】
請求項５に係る竪樋支持具によれば、ロックレバーの取付板部又は上記スライド片或いは取付片のいずれかには、リブ足部が突出形成されているので、スライド時における抱持部材のスライドをスムーズに行うことができる。
【００６１】
（欠番）
【図面の簡単な説明】
【図 １】本発明の前提構成を示す竪樋支持具の分解斜視図
【図 ２】本発明の前提構成を示す竪樋支持具の組立斜視図
【図 ３】（ａ）（ｂ）は、図１、図２に示したロックレバーをロック、アンロック状態に操作したときの要部概略図
【図 ４】ロックレバーの一実施例を示す斜視図
【図 ５】スライド片にガイド片を形成した例を示す斜視図
【図 ６】従来の竪樋支持具を示す組立斜視図
【符号の説明】
Ａ      竪樋支持具
Ｔ      竪樋
１      抱持部材
１１    抱持部
１２    スライド片
１３    凹凸部
１４    長孔
２      取付部材
２１    取付部
２２    取付片
３      連結軸
４      ロックレバー（ロック手段）
４１    軸孔
４２    取付板部
４３    操作部
４４    係止爪片
４５    リブ足部
【図１】
0004755778.tif 000002
【図２】
0004755778.tif 000003
【図３】
0004755778.tif 000004
【図４】
0004755778.tif 000005
【図５】
0004755778.tif 000006
【図６】
0004755778.tif 000007